(57)【要約】【課題】簡素で効率よく生ごみ粉砕処理廃液のバイオガス化が行える排水処理装置を提供すること。【解決手段】生ごみ粉砕処理廃液を受け入れて沈殿分離する固液分離槽２を備え、液相に含まれる有機物をバイオガス化する液相嫌気発酵部５と、沈殿物をバイオガス化する沈殿物嫌気発酵槽３を備え、固液分離槽２から沈殿物嫌気発酵槽３に沈殿物を移流させる移流部２６を設け、移流部２６を沈殿物により閉塞して、逆流を防止可能にする絞部２６ａを設けるとともに、沈殿物を絞部２６ａを介して沈殿物嫌気発酵槽３に移流させ、余剰の液相を絞部２６ａを介して固液分離槽２に返送可能にする沈殿物移流機構を設け、生成したバイオガスを外部に取り出すバイオガス取出路３２を設けた。【選択図】図５
2014144407.tif 000002
【特許請求の範囲】
【請求項１】
生ごみ粉砕処理廃液を受け入れる受け入れ部を設けるとともに、前記生ごみ粉砕処理廃液を沈殿分離する固液分離槽を備え、
前記固液分離槽で固液分離された液相に含まれる有機物をバイオガス化する液相嫌気発酵部を設けるとともに、
前記固液分離槽にて沈殿分離された沈殿物を受け入れてバイオガス化する沈殿物嫌気発酵槽を備え、
前記固液分離槽から前記沈殿物嫌気発酵槽に前記沈殿物を移流させる移流部を設けてなり、
前記移流部に、前記固液分離槽と前記沈殿物嫌気発酵槽との間を前記沈殿物により閉塞して、固形成分の前記沈殿物嫌気発酵槽から前記固液分離槽への逆流を防止可能にする絞部を設けるとともに、
前記沈殿物を前記絞部を介して前記沈殿物嫌気発酵槽に移流させ、前記沈殿物嫌気発酵槽の余剰の液相を前記絞部を介して前記固液分離槽に返送可能にする沈殿物移流機構を前記沈殿物嫌気発酵槽に設け、
前記液相嫌気発酵部および前記沈殿物嫌気発酵槽には、生成したバイオガスを外部に取り出すバイオガス取出路を設けた排水処理装置。
【請求項２】
前記液相嫌気発酵部が、前記固液分離槽内部で液相の滞留する領域に、嫌気性微生物を育成するための担体を設けて構成されている請求項１に記載の排水処理装置。
【請求項３】
前記液相嫌気発酵部が、前記固液分離槽内部から移流した液相を受け入れる水処理槽を備えるとともに、前記水処理槽内に嫌気性微生物を育成するための担体を設けて構成されている請求項１に記載の排水処理装置。
【請求項４】
前記絞部は、前記固液分離槽下部に設けたスリット状出口を備え、前記固液分離槽における前記沈殿物が、前記スリット状出口を閉塞して堆積する堆積層を形成可能に構成してある請求項１〜３のいずれか一項に記載の排水処理装置。
【請求項５】
前記沈殿物嫌気発酵槽に嫌気ガスを散気する散気装置を設け、前記散気装置に間欠的に嫌気ガスを供給するガス供給装置を設け、前記スリット状出口の下方から上昇する気液混相流を形成可能に配置して、前記沈殿物移流機構を形成してある請求項４に記載の排水処理装置。
【請求項６】
前記受け入れ部で受け入れた生ごみ粉砕処理廃液を可溶化する可溶化槽を備え、前記可溶化槽から前記固液分離槽に可溶化した生ごみ粉砕処理廃液を移流させる移流部を設けた請求項１〜５のいずれか一項に記載の排水処理装置。
【請求項７】
前記固液分離槽で固液分離された液相の移流を受け、好気処理する好気処理槽を備えた請求項１〜６のいずれか一項に記載の排水処理装置。
【請求項８】
請求項５に記載の排水処理装置の運転方法であって、
前記沈殿物嫌気発酵槽における前記沈殿物のバイオガス化に伴って減少する減少量に応じて前記ガス供給装置によるガス供給を行う排水処理装置の運転方法。
【発明の詳細な説明】
【技術分野】
【０００１】
本発明は、生ごみ粉砕処理廃液を浄化する排水処理装置およびその運転方法に関する。
【背景技術】
【０００２】
近年、各家庭や集合住宅において、ゴミの減容化等を目的として、生ごみディスポーザが普及する傾向にあり、ディスポーザにより粉砕処理された生ゴミを処理可能とする排水処理装置が設置される傾向にある。
【０００３】
このような排水処理装置の形態としては、単に、生ごみ粉砕処理廃液を嫌気処理により可溶化し、可溶化した液相を好気処理することにより浄水とする構成が一般的であり、現実的に可溶化しきらない生ごみは、固液分離され、コンポスト化、飼料化され、さらに余剰の固形成分は焼却処分等される。
【０００４】
しかし、このような処理形態では、コンポスト化、飼料化された生ごみは、再利用されるが、焼却処分等される部分については、エネルギーの有効利用が図られているとは言い難く、また、好気処理であるために、大量の希釈水を必要とすることから、あまり効率的な処理方法とはいえない。さらに、コンポスト化、飼料化されたエネルギーについても再利用用途に限界があり、一般的な用途で利用可能なバイオガス化する技術が望まれている。
【０００５】
生ごみ粉砕処理廃液をバイオガス化する技術としては特許文献１に記載のように、生ごみを粉砕処理した排液を可溶化し、可溶化成分について嫌気発酵を行うことによりメタンガスを回収する排水処理装置が考えられている。
【０００６】
しかし、これらの排水処理装置は、生ごみ粉砕処理廃液は充分可溶化しないと嫌気発酵に供することができないことから、可溶化に時間を要し、大きな可溶化槽や嫌気発酵槽を要する。さらに、嫌気発酵槽において、メタン細菌は増殖が遅いことが知られており、嫌気発酵後の処理済の液を取り出すに際して、メタン細菌の流出を抑制する必要がある。そのため、各槽間を常時連通状態に維持することはできず、各槽を個別の水処理容器から構成することが好ましかった。また、各槽間で処理水を移送させるには、動力として大掛かりなポンプを必要とする。その結果、上記排水処理装置としては大掛かりな装置構成を必要とすることになっていた。
【先行技術文献】
【特許文献】
【０００７】
【特許文献１】特開２００２−１１９９３７号公報
【発明の概要】
【発明が解決しようとする課題】
【０００８】
そこで、上述の排水処理装置を小型化簡素化するに際しては、嫌気発酵槽に対する生ごみ粉砕処理廃液の移送を簡素化することが必要になる。
【０００９】
嫌気発酵槽に対する生ごみ粉砕処理廃液の移送を効率化するには、生ごみ粉砕処理廃液の連続移流が可能な構成を実現することが望ましい。また、嫌気発酵槽においては、固形成分の処理効率を向上させるには、可溶化していない固形成分であっても嫌気発酵可能な高濃度のメタン細菌を保持可能な嫌気発酵槽を構成すること、および、嫌気発酵槽に保持されるメタン細菌が、連続的な処理を通じて、維持されることが必要になる。
【００１０】
したがって、本発明は上記実状に鑑み、簡素で効率よく生ごみ粉砕処理廃液のバイオガス化が行える排水処理装置を提供することを目的とする。
【課題を解決するための手段】
【００１１】
〔構成１〕
上記目的を達成するための本発明の排水処理装置の特徴構成は、
生ごみ粉砕処理廃液を受け入れる受け入れ部を設けるとともに、前記生ごみ粉砕処理廃液を沈殿分離する固液分離槽を備え、
前記固液分離槽で固液分離された液相に含まれる有機物をバイオガス化する液相嫌気発酵部を設けるとともに、
前記固液分離槽にて沈殿分離された沈殿物を受け入れてバイオガス化する沈殿物嫌気発酵槽を備え、
前記固液分離槽から前記沈殿物嫌気発酵槽に沈殿物を移流させる移流部を設けてなり、
前記移流部に、前記固液分離槽と前記沈殿物嫌気発酵槽との間を前記沈殿物により閉塞して、固形成分の前記沈殿物嫌気発酵槽から前記固液分離槽への逆流を防止可能にする絞部を設けるとともに、
前記沈殿物を前記絞部を介して前記沈殿物嫌気発酵槽に移流させ、沈殿物嫌気発酵槽の余剰の液相を前記絞部を介して前記固液分離槽に返送可能にする沈殿物移流機構を前記沈殿物嫌気発酵槽に設け、
前記液相嫌気発酵部および沈殿物嫌気発酵槽には、生成したバイオガスを外部に取り出すバイオガス取出路を設けた点にある。
【００１２】
〔作用効果１〕
上記構成によると、排水処理装置は、生ごみ粉砕処理廃液を受け入れ、その生ごみ粉砕処理廃液を前記固液分離槽にて固液分離し、前記固液分離した沈殿物を沈殿物嫌気発酵槽に移流させてバイオガス化処理できるとともに、菌体濃度を高濃度に維持でき、バイオガス化処理を行って浄化された生ごみ粉砕処理廃液を排水できる。また、固液分離された液相についても、嫌気発酵され、資化された有機物がバイオガス化して生ごみに含まれる有機成分を、より一層効率よくエネルギーとして回収できるようになった。
【００１３】
具体的には、生ごみ粉砕処理廃液は固液分離槽で固液分離され、上澄液と沈殿物に分かれる。沈殿物は、沈殿して移流部における絞部に達する。絞部では、前記固液分離槽と前記沈殿物嫌気発酵槽との間を前記沈殿物により閉塞して、固形成分の前記沈殿物嫌気発酵槽から前記固液分離槽への逆流を防止可能にする沈殿物移流機構を設けるから、前記沈殿物は、前記固液分離槽から沈殿物嫌気発酵槽へ一方通行で移流する。一方固液分離槽における上澄液を含む液相は、液相嫌気発酵部において嫌気発酵されて、バイオガスを生成する。また、前記沈殿物嫌気発酵槽の微生物からなる汚泥は、沈殿物嫌気発酵槽内で保持され、外部に流出することなく保持される。すなわち、余剰の液相の移流量に応じて、前記沈殿物嫌気発酵槽から前記固液分離槽へ液相の返流が生じるが、前記沈殿物がフィルタ効果を発揮し、前記沈殿物嫌気発酵槽からの返流に含まれる嫌気微生物は前記沈殿物内に留まる。これにより前記沈殿物嫌気発酵槽内の嫌気微生物濃度を高濃度に維持できる。そして、前記沈殿物嫌気発酵槽では、固液分離槽の沈殿物が流入するが、前記沈殿物嫌気発酵槽の内部の固形成分が固液分離槽に返送されることがなく、前記沈殿物嫌気発酵槽内の微生物が沈殿物嫌気発酵槽外に流出して減少することが抑制され、良好な嫌気発酵が維持でき、嫌気発酵により減容した固形成分量に見合う沈殿物が順次補給される運転状態を維持できる。
したがって、簡単な構成の沈殿物移流機構を採用するだけで、前記沈殿物嫌気発酵槽では沈殿物を嫌気発酵により連続的にガス化減容化し、バイオガスを回収できる。
【００１４】
これにより、小型で効率よく生ごみ粉砕処理廃液を固液分離した液相および沈殿物を、ともに効率よくバイオガス化できる排水処理装置を提供することができた。
【００１５】
前記沈殿物嫌気発酵槽で生成したバイオガスは、バイオガス取出路から取り出され、例えばガスエンジン、ボイラ等の燃料や、各種化学物質の合成原料として供給できる。
【００１６】
〔構成２〕
また、前記液相嫌気発酵部が、前記固液分離槽内部で液相の滞留する領域に、嫌気性微生物を育成するための担体を設けて構成されてもよい。
【００１７】
〔作用効果２〕
前記液相嫌気発酵部は、生ごみ粉砕処理廃液を固液分離した液相に含まれる有機成分を分解してバイオガス化するから、その液相に生育する嫌気性微生物を十分量保持した上で、液相との接触の効率化を図ることにより、バイオガス化の効率を向上できるものと考えられる。そこで、前記固液分離槽内部で液相の滞留する領域に、嫌気性微生物を育成するための担体を設けてあれば、担体に微生物を保持した状態で担体と液相との接触効率を高くできるので極めて高いバイオガス化効率を発揮させることができるようになった。液相嫌気発酵部は、前記沈殿物嫌気発酵槽で嫌気分解されてより低分子化した有機物をさらに分解するので、沈殿物を２段階でより完全に分解処理する効果も発揮させられる。液相嫌気発酵部で用いる担体は、球状もしくは筒上の樹脂を複数用いる流動担体でもよいし、柱状もしくは板状の樹脂を用いる固定担体でもよい。
【００１８】
したがって、生ごみ粉砕処理廃液をより完全にバイオガス化し、エネルギーとして回収できるようになった。
【００１９】
〔構成３〕
また、前記液相嫌気発酵部が、前記固液分離槽内部から移流した液相を受け入れる水処理槽を備えるとともに、前記水処理槽内に嫌気性微生物を育成するための担体を設けて構成してもよい。
【００２０】
〔作用効果３〕
先の構成に記載の通り、担体に保持した微生物と液相との接触を図ることにより、高いバイオガス化効率を発揮させることができる。しかし、固液分離槽内部の液相の領域に担体を配置して保持すれば、省スペースで配置できる利点はあるが、場合によっては、十分量の担体が収容できない、固液分離された沈殿物が担体に付着することによって、長期にわたって高いバイオガス化効率を維持することが困難になる、等の不都合が生じる恐れがある。このような場合には、前記固液分離槽内部から移流した液相を受け入れる水処理槽を備えるとともに、前記水処理槽内に嫌気性微生物を育成するための担体を設けることによって、前記固液分離層とは別の十分大きな水処理空間で生ごみ粉砕処理廃液のバイオガス化が図れ、生ごみ粉砕処理廃液の性状に応じて高負荷の処理を行えることになる。
【００２１】
したがって、生ごみ粉砕処理廃液の性状が極めて高濃度であるなど、負荷の高い場合は特に、長期にわたって高いバイオガス化効率を維持できて好ましい。
【００２２】
〔構成４〕
前記絞部は、前記固液分離槽下部に設けたスリット状出口を備え、前記固液分離槽における沈殿物が、前記スリット状出口を閉塞して堆積する堆積層を形成可能に構成する。
【００２３】
〔作用効果４〕
上記構成によると、前記固液分離槽下部に沈殿した沈殿物前記スリット状出口において下すぼまりに集合するから、前記スリット状出口で堰きとめられて堆積する。すると、前記スリット状出口に堆積した沈殿物は、前記沈殿物や、前記沈殿物嫌気発酵槽内の微生物などの固形成分に関しては、これらを前記沈殿物嫌気発酵槽から前記固液分離槽に逆流させるのを防止するフィルタとして機能することになる。
【００２４】
すると、前記スリット状出口を絞部として前記沈殿物を堰きとめる簡単な構成により、前記沈殿物は、前記沈殿物嫌気発酵槽に徐々に流入しつつ、前記沈殿物嫌気発酵槽からの固形成分の逆流を防止できる。これにより、前記沈殿物嫌気発酵槽における沈殿物量を好適に維持するとともに、沈殿物嫌気発酵槽内の微生物を槽内に確実に保持でき、バイオガスの発生を良好に維持できる。
【００２５】
〔構成５〕
また、前記沈殿物嫌気発酵槽に嫌気ガスを散気する散気装置を設け、前記散気装置に間欠的に嫌気ガスを供給するガス供給装置を設け、前記スリット状出口の下方から上昇する気液混相流を形成可能に配置して、前記沈殿物移流機構を形成してあってもよい。
【００２６】
〔作用効果５〕
上記構成によると、前記散気装置により前記嫌気ガスを前記沈殿物嫌気発酵槽内に散気することによって、前記スリット状出口の下方から上昇する気液混相流を形成できる。前記気液混相流が、前記スリット状出口の近傍を上昇すると、前記混相流の流れによるイジェクタ効果が生じ、前記スリット状出口に堰きとめられていた沈殿物を、前記沈殿物嫌気発酵槽側に吸い出し、前記固液分離槽から前記沈殿物嫌気発酵槽に移流させる沈殿物移流機構として機能することになる。また、このとき、前記散気装置に供給されるのは嫌気ガスであるため、前記沈殿物嫌気発酵槽の嫌気発酵条件は良好に維持できる。このような嫌気ガスとしては、例えば、前記沈殿物嫌気発酵槽で生成したバイオガスを利用できる。
【００２７】
そのため、簡単な構成で沈殿物移流機構を構成することができるとともに、前記散気装置から間欠的に散気する散気量、散気の時期を調整するだけの簡単な制御で、前記固液分離槽から前記沈殿物嫌気発酵槽に移流する沈殿物量を制御できる。
【００２８】
〔構成６〕
また、前記受け入れ部で受け入れた生ごみ粉砕処理廃液を可溶化する可溶化槽を備え、前記可溶化槽から前記固液分離槽に可溶化した生ごみ粉砕処理廃液を移流させる移流部を設けてあってもよい。
【００２９】
〔作用効果６〕
上記構成によると、固液分離部で固液分離される生ごみ粉砕処理廃液は、受け入れ部で受け入れられた後、一旦可溶化槽にて貯留されて可溶化した状態で前記固液分離槽に流入する。すると、前記固液分離槽で固液分離され、前記沈殿物嫌気発酵槽に移流される沈殿物量が、前記可溶化槽における生ごみ粉砕処理廃液の可溶化度合いに応じて調整されるから前記固液分離槽から前記沈殿物嫌気発酵槽に移流する沈殿物量を適切に設定して、前記沈殿物嫌気発酵槽における円滑な嫌気発酵を妨げることなく排水処理を持続できる。
【００３０】
〔構成７〕
また、前記固液分離槽で固液分離された液相の移流を受け、好気処理する好気処理槽を備えてもよい。
【００３１】
〔作用効果７〕
先述の構成によると、前記固液分離槽を経た生ごみ粉砕処理廃液の液相部分は、主に嫌気処理をされていない廃液であるから、比較的ＢＯＤの高い状態であることが予想される。しかし、さらに好気処理を行うことによってＢＯＤを低下させ、自然環境に放流することのできる水質にまで浄化することが可能になり、好気処理槽を備えて排水をさらに好気処理して放流可能な構成とすることで家庭用浄化槽等としても利用できる構成とできるので好ましい。
【００３２】
また、好気処理槽で発生した汚泥を、前記固液分離槽に返送する返送部を設けてあれば、前記汚泥はさらに前記沈殿物嫌気発酵槽に移流され、沈殿物嫌気発酵槽で分解できるため、排水処理装置全体として、引き抜き汚泥量を大幅に削減できる。
【００３３】
〔構成８〕
また、散気装置にガス供給するガス供給装置を備えて沈殿物移流機構を設けた場合、前記沈殿物嫌気発酵槽における沈殿物のバイオガス化に伴って減少する減少量に応じて前記ガス供給装置によるガス供給を行う排水処理装置の運転方法を行うことができる。
【００３４】
〔作用効果８〕
上記方法によると、前記沈殿物嫌気発酵槽ではバイオガス化処理するに適した量の沈殿物を前記沈殿物嫌気発酵槽内に収容し、嫌気発酵によりバイオガス化できるので、効率よくバイオガス化をすすめることができるとともに、前記絞部に堰きとめられて堆積する沈殿物の量を適切に維持し、沈殿物移流機構による沈殿物の移流を円滑に維持できる。
【発明の効果】
【００３５】
したがって、小型で効率よく生ごみ粉砕処理廃液のバイオガス化が行える排水処理装置を提供できるようになった。これにより、ごみの減容、再生エネルギーの有効利用、炭酸ガス発生量削減に寄与できるようになった。
【図面の簡単な説明】
【００３６】
【図１】本発明の排水処理装置の横断平面図である。
【図２】図１におけるＩＩ−ＩＩ線縦断正面図である。
【図３】図１におけるＩＩＩ−ＩＩＩ線縦断正面図
【図４】図１におけるＩＶ−ＩＶ線縦断側面図
【図５】図１におけるＶ−Ｖ線縦断側面図
【図６】図１におけるＶＩ−ＶＩ線縦断側面図
【図７】本発明の排水処理装置における沈殿物嫌気発酵槽におけるバイオガス発生量を示す図
【図８】比較例の排水処理装置におけるバイオガス発生量を示す図
【図９】本発明の排水処理装置における液相嫌気発酵槽におけるバイオガス発生量を示す図
【図１０】本発明の別実施の形態による排水処理装置の横断平面図
【図１１】図１０におけるＸＩ−ＸＩ線縦断正面図
【図１２】本発明の別実施の形態による排水処理装置の要部縦断側面図
【発明を実施するための形態】
【００３７】
以下に、本発明の排水処理装置を説明する。なお、以下に好適な実施の形態を記すが、これら実施の形態はそれぞれ、本発明をより具体的に例示するために記載されたものであって、本発明の趣旨を逸脱しない範囲において種々変更が可能であり、本発明は、以下の記載に限定されるものではない。
【００３８】
〔排水処理装置〕
本願の排水処理装置は、図１〜図６に示すように、排水処理装置本体Ａの内部を仕切壁Ｗ１２、Ｗ１３，Ｗ２３，Ｗ２５により仕切って、貯留槽１、固液分離槽２、沈殿物嫌気発酵槽３、液相嫌気発酵槽５を形成して、生ごみ粉砕処理廃液を受け入れる受け入れ部１１と、各槽間を処理液が移流する移流部１４、２６（図５参照）、５２，５３を形成してある。
また、固液分離槽２や沈殿物嫌気発酵槽３、液相嫌気発酵槽５から発生したバイオガスを回収するバイオガス取出路３２（図３参照）を設けてある。これにより、生ごみ粉砕処理廃液は、沈殿分離されたのち沈殿物は沈殿物発酵槽で嫌気発酵され、液相は、液相嫌気発酵部としての液相嫌気発酵槽内部空間にて嫌気発酵し、バイオガス化されたのち、清浄な排水として排水部２４から排水処理装置本体Ａ外へ排出される構成となっている。
【００３９】
具体的には、図１に示すように、排水処理装置本体Ａの内部を仕切壁Ｗ１２により長さ方向に２つに仕切り、一方の空間を貯留槽１とし、他方の空間を、仕切壁Ｗ２３，Ｗ２５によりさらに幅方向に３つに仕切り、中央の空間を固液分離槽２に形成するとともに、残部を沈殿物嫌気発酵槽３と、液相嫌気発酵槽５として形成してある。ここで、沈殿物嫌気発酵槽３上部は、この沈殿物嫌気発酵槽３で発生したガスが、バイオガス取出路３２より取出される構成となっており、液相がこの槽から他の槽に流出しない構成となっている。
【００４０】
〔貯留槽〕
図１〜図６に示すように、前記貯留槽１は、前記排水処理装置本体Ａの内部において生ゴミ粉砕処理排液を液面近傍において受け入れる受け入れ部１１を備え、内部に生ゴミ粉砕処理排液を貯留可能な貯留空間１２を形成している。また、前記貯留空間１２内部には、撹拌ポンプＰ１により嫌気ガスを供給する散気管１３を設け、貯留槽１の下部より曝気撹拌することにより、受け入れた生ゴミ粉砕処理排液を貯留しつつ、より可溶化し、流動化を図る可溶化槽として機能するように構成してある。
【００４１】
前記貯留槽１と前記固液分離槽２との間を仕切る仕切壁Ｗ１２の上端部には、生ゴミ粉砕処理排液の可溶化した可溶化液が、オーバーフローによって固液分離槽２に移流する移流部１４を設けてある（図２、図４参照）。また、前記貯留槽１と前記沈殿物嫌気発酵槽３との間を仕切る仕切壁Ｗ１３は、排水処理装置本体Ａの上面に気密に接続されている（図３、図４参照）。
【００４２】
〔固液分離槽〕
図１、図２、図５に示すように、固液分離槽２は、前記排水処理装置本体Ａの内部において、前記移流部１４より受け入れる可溶化液を下方に案内する案内壁部２１を備え、案内壁部２１により下方に案内された可溶化液から固形成分を沈殿分離可能にする沈殿分離空間２２を形成してある。また、前記沈殿分離空間２２の内部には、上部（図中では案内壁部２１の下端部よりやや上方位置）に撹拌ポンプＰ４により嫌気ガスを供給する散気管２３を設け、前記沈殿分離空間２２の内部における可溶化液の上澄液を撹拌してさらに浄化する構成としてある（図１、図２参照）。
【００４３】
また、固液分離層と液相嫌気発酵槽５との間には、生ごみ粉砕処理廃液を固液分離した液相を、前記液相嫌気発酵槽５に移流させる移流部としての移流管５２を設けるとともに、液相嫌気発酵槽５にて嫌気発酵処理された液相を流入する移流部として機能するガスリフターからなる移送管５３（図６参照）を配設してある。
【００４４】
前記固液分離槽２における受け入れ部１１の反対側には処理済の排水を排水処理装置本体Ａ外へ排出する排水部２４を設けるとともに、排水処理装置本体Ａの内壁部において前記排水部２４の近傍に分離壁部２５を設け、排出される処理済の排水に固形成分が混入するのを抑制し、固形成分を含まない清浄な上澄液が排出される構成としてある（図２参照）。
【００４５】
図２、図５に示すように、前記固液分離槽２の下部には、前記固液分離槽２において固形成分の沈殿分離された沈殿物を前記沈殿物嫌気発酵槽３に可溶化液とともに移流させるとともに、前記沈殿物嫌気発酵槽３で嫌気処理された処理済の排水（余剰の液相）を前記固液分離槽に返送可能にする移流部２６を設けてある。
【００４６】
前記移流部２６は、前記固液分離槽２下部に設けた絞部としてのスリット状出口２６ａを備えた傾斜壁部２６ｂから構成される。前記傾斜壁部は、前記仕切壁Ｗ２３の下部を下側ほど固液分離槽下部側に近づくとともに、排水処理装置本体Ａ内壁面との間に下すぼまりのスリット状出口２６ａを形成するように傾斜させて構成してある。これにより、スリット状出口２６ａを介して、上記沈殿物と可溶化液、処理済みの排水の移流を抑制され、前記固液分離槽における沈殿物が、前記スリット状出口２６ａを閉塞して堆積する堆積層２６ｃを形成可能に構成してある（図５参照）。
【００４７】
なお、上記構成において、スリット状出口２６ａの幅は１０−３０ｍｍ程度、好ましくは１５ｍｍ程度とする。
【００４８】
なお、前記固液分離槽２と沈殿物嫌気発酵槽３とを仕切る仕切壁Ｗ２３は排水処理装置本体Ａの上面に気密に接続されている（図２、図５参照）。
【００４９】
〔沈殿物嫌気発酵槽〕
図１、図３、図５に示すように、沈殿物嫌気発酵槽３は、前記排水処理装置本体Ａの内部において、前記移流部２６より受け入れられる沈殿物をメタン細菌による嫌気発酵により生物分解する嫌気発酵空間３１を形成してある。前記嫌気発酵空間３１の上方空間は、前記沈殿物を含む液相と仕切壁Ｗ１３，Ｗ２３および排水処理装置本体Ａの内壁で囲まれた気密空間を形成し、前記嫌気発酵空間３１で生成したバイオガスを収集するバイオガス収集空間を構成する。
【００５０】
前記メタンガス収集空間には、収集されたバイオガスを外部に取り出すバイオガス取出路３２を設けてある。前記バイオガス取出路３２にはバイオガスタンクＴが設けられ、回収されたバイオガスを一時貯留するとともに、必要に応じて外部に供給可能に構成してある。
【００５１】
前記嫌気発酵空間３１には、嫌気ガスを散気する散気装置３３を設け、前記散気装置３３に間欠的に嫌気ガスを供給するガス供給装置としての散気ポンプＰ３を設け、前記スリット状出口２６ａの下方から上昇する気液混相流を形成可能に配置して、前記固液分離槽２から前記移流部２６を介して前記沈殿物嫌気発酵槽３に沈殿物を移流させる沈殿物移流機構を形成してある。本例では、嫌気ガスとして、前記沈殿物嫌気発酵槽３で発生したバイオガスが用いられる。
【００５２】
前記沈殿物移流機構は、前記スリット状出口２６ａのやや下方から、前記散気装置３３により大量の気泡を一時に供給することにより、前記気泡の上昇流によるイジェクタ効果で、前記固液分離槽２のスリット状出口２６ａに堆積した沈殿物を沈殿物嫌気発酵槽３側に吸い込み、前記沈殿物を移流させる効果を発揮する。このとき、前記スリット状出口２６ａに堆積した堆積層２６ｃの沈殿物は、全部同時に移流してしまうのではなく、常時前記スリット状出口２６ａには沈殿物の堆積層２６ｃが維持されるように流動する。そのため、沈殿物が前記固液分離槽２から前記移流部２６を介して前記沈殿物嫌気発酵槽３に移流しても、即座に前記沈殿物嫌気発酵槽３内の液相は、前記固液分離槽２に逆流することはないものの、前記堆積層２６ｃを通じて徐々に前記固液分離槽２に返送される。ここで、前記移流部２６は、前記沈殿物嫌気発酵槽３から前記固液分離槽２に可溶化した生ごみ粉砕処理廃液を移流させる移流部としても機能している。一方、前記沈殿物嫌気発酵槽３内の固形成分は、前記堆積層２６ｃに阻まれて固液分離槽２に移流できない。その結果、前記沈殿物嫌気発酵槽３では、固液分離槽２の沈殿物が流入するが、前記沈殿物嫌気発酵槽３の内部の固形成分が固液分離槽２に返送されることがなく、前記沈殿物嫌気発酵槽３内の微生物が沈殿物嫌気発酵槽３外に流出して減少することが抑制され、良好な嫌気発酵が維持でき、嫌気発酵により減容した固形成分量に見合う沈殿物が順次補給される運転状態を維持できる。したがって、前記沈殿物嫌気発酵槽３では沈殿物を嫌気発酵により連続的にガス化減容化し、バイオガスを回収できるとともに、浄化された液相が固液分離槽２に返送され、さらに、前記固液分離槽２から外部に放流される構成となる。
【００５３】
なお、上記構成の場合、散気装置３３による散気は、収集されたバイオガスの一部を前記バイオガスタンクＴから散気ポンプＰ３にて供給するので、前記沈殿物嫌気発酵槽３の内部は、嫌気状態に維持される。さらに、１日に２回程度、７０Ｌ／ｍｉｎ程度の大量散気を２０秒程度の散気を行えば、前記沈殿物嫌気発酵槽３の処理能力に応じた沈殿物の移流を継続でき、大容量のポンプ等を用いることなく効率よく生ごみ粉砕処理物由来の沈殿物を移送できる。
【００５４】
〔液相嫌気発酵槽〕
図１、図６に示すように、液相嫌気発酵槽５は、排水処理装置本体Ａの内部空間に区画形成されており、前記固液分離槽２で固液分離された液相を前記固液分離層上部に設けた前記流入管５２より水処理空間５１に受け入れる。
前記液相嫌気発酵槽５には、分離壁部５４を設けて、内部に水処理空間５１と揚水空間５６とを形成してあり、前記水処理空間には、液相を嫌気発酵処理する嫌気性微生物を育成するための担体５５ａを多数収容して嫌気ろ床５５を設けてあるとともに、前記水処理空間５１上部より受け入れた液相が下方に移流するにしたがって、液相に含まれる有機物が前記担体５５ａと接触することにより嫌気発酵されてバイオガス化する構成としてある。下方に移流して嫌気発酵された液相は、分離壁部５４の下部から揚水空間５６に移流する。移送管５３の縦管５３ａ下部には、ガスリフター用ポンプＰ２よりバイオガスが供給され、そのガスリフター作用により、前記揚水空間５６に移流した液相は、固液分離槽２に返送される構成となっている。
【００５５】
なお、固液分離槽、沈殿物嫌気発酵槽、液相嫌気発酵槽は、いずれも上部空間が気密に形成され、互いに連通しており、その上部空間に滞留するバイオガスをバイオガス取出路３２を通じて取り出し容易に形成されている
【００５６】
〔水処理性能〕
上記排水処理装置における沈殿物嫌気発酵槽３において、固形成分量、バイオガス発生量を調べたところ、図７のようになった。図７より、上記構成の排水処理装置においては、バイオガスが安定的に発生しており、かつ、沈殿物嫌気発酵槽３内の固形成分量（ＴＳ）も安定に減少していることが読み取れる。また、沈殿物嫌気発酵槽３における沈殿物のバイオガス化率は約４５％であった。
【００５７】
これに対して、上記固液分離槽２における絞部としてのスリット状出口２６ａを設けない構成とした場合（固液分離槽２と沈殿物嫌気発酵槽３とが絞部としてのスリット状出口２６ａを介さずに連通している場合）の排水処理装置（比較例）における沈殿物嫌気発酵槽３の固形成分量、バイオガス発生量を調べたところ、図８のようになった。図８より、メタン細菌を充填した運転初期はバイオガスが発生するが、固形成分の槽外への流出が激しく、初期の固形成分量は、約５０日後にほぼ０まで低下している。これにより、沈殿物嫌気発酵槽３では、メタン細菌を補充したとしても（図中７０日、１７０日、２２０日）、メタン細菌が槽外に流出してバイオガスが発生せず、メタン細菌は、ほとんどバイオガスの発生に寄与できないことがわかった。
【００５８】
投入負荷１０〜２０ｋｇＣＯＤｃｒ／ｍ3／ｄ、滞留時間１日の条件で液相嫌気発酵槽５のＣＯＤ負荷とｔＣＯＤ分解率とを、経時変化を調べたところ、図９（ａ）のようになり、負荷の変動にもよらず、分解率が８０％〜９０％を維持しており、液相においても安定して高いバイオガス化が行われていることが分かった。
また、液相嫌気発酵槽５における非沈降性ＳＳおよびｓＣＯＤ（溶解性ＣＯＤ）の量について経時変化を調べたところ、図９（ｂ）のようになった、すなわち、液相に含まれる有機物が効率よく嫌気発酵を受け、浄化されていることがわかる。
さらに、ＣＯＤ投入量とバイオガス発生量との関係を調べたところ図９（ｃ）のようになっており、液相のバイオガス化率は、７５％と極めて高い値になっていることが分かった。
したがって、本発明の排水処理装置の生ごみ粉砕処理廃液に対するバイオガス化率は、
（４５＋（１００−４５）＊０．７５＝）８６％におよび、きわめて高い処理効率を発揮していることが明らかになった。
【００５９】
〔別実施の形態〕
上記実施の形態では、浄化済みの上澄液は、固液分離槽２から直接排水処理装置外へ流出させられる構成としたが、図１０、図１１に示すように排水処理装置内部にさらに、好気処理槽４を形成しておき、固液分離槽２からオーバーフローする排水を好気処理槽４に移流させ、さらに好気処理するとともに、自然界に放流可能な水質レベルにまで浄化し、排水可能な家庭用浄化槽等として用いることができる。
【００６０】
具体的には、図１０、図１１に示す構成においては、上記実施の形態における排水処理装置内部に固液分離槽２および沈殿物嫌気発酵槽３に隣接して前記貯留槽１の反対側に好気処理槽４を形成してある。そして、前記固液分離槽２と、前記好気処理槽４との間の仕切壁Ｗ２４に上澄液がオーバーフローする移流部２８を設けるとともに（ここで、前記移流部２８は、前記固液分離槽２で固液分離された液相を外部に排水する排水部２４として機能している。）、前記好気処理槽４に移流した上澄液をさらに浄化して排出する排水部４１を設けて構成してある。
【００６１】
また、図１０、図１１の構成においては、液相嫌気発酵槽５は、排水処理装置本体Ａとは別体の容器として構成してあり、内部構造は先の実施の形態と同様に構成することで、同様に液相を嫌気発酵してバイオガスの生成を行うことができる。
【００６２】
また、前記好気処理槽４には、スポンジ状の担体４２を多数収容する。また、前記エアポンプＰ５よりエア供給して散気する散気管４３を内装し、前記散気管４３からの給気により、その担体４２に、好気処理槽４内の液を好気処理する好気性菌を生育させるとともに、前記担体４２が流動床を形成する循環流を槽内に形成可能に構成してある。
また、前記排水部４１近傍に分離壁部４４を設け、排出される処理済の排水に固形成分が混入するのを抑制し、固形成分を含まない清浄な上澄液が排出される構成としてあるとともに、前記好気処理槽４下部に沈殿した沈殿汚泥を、前記貯留槽１に返送するための返送管４５を設けてある。これにより、前記好気処理槽４では、前記固液分離槽２からの排水をさらに好気処理して浄化するとともに、前記好気処理槽４で発生した沈殿汚泥を上流側の貯留槽１に返送して再度沈殿物嫌気発酵槽３にて処理可能に構成してある。なお、前記返送管４５は、縦管４５ａに供給される揚水用ガスにより管内の水位を横管接続高さまで上昇させ、横管接続高さに達した被処理水を上流側に返送する構成としてあり、揚水用のガスとしては、上流側の貯留槽１、固液分離槽２、沈殿物嫌気発酵槽３が好気性に偏るのを防止する目的で、嫌気ガスを用いる。嫌気ガスは、前記バイオガスタンクＴより各散気管１３，２３，３３に嫌気ガスとしてバイオガスを供給する管路を分岐して、ガスリフター用ポンプＰ２より返送管４５の縦管部分の下部に供給可能に構成してある（図１１参照）。
【００６３】
このような構成により、ＢＯＤ１３００ｍｇ／Ｌ、ＳＳ１３４３ｍｇ／Ｌ程度の生ごみ粉砕処理廃液を、さらに浄化してＢＯＤ３００ｍｇ／Ｌ未満、ＳＳ３００ｍｇ／Ｌ以下の清浄な排水として外部に放流可能な構成とできる。
【００６４】
先の実施の形態の構成において、受け入れ部１１から受け入れた生ごみ粉砕処理廃液は、貯留槽１で可溶化して固液分離槽２に移流するように設けたが、直接固液分離槽２に受け入れることもでき、生ごみ粉砕処理廃液の性状、負荷等に応じて適宜構成を変更でき、例えば、ＢＯＤの高い排水を大量に受けることが想定される排水処理装置では、貯留槽１を大きく設定し、充分な可溶化を図ることが望ましい。
【００６５】
なお、上記実施の形態においては、液相嫌気発酵部は、前記固液分離槽２とは別の水処理槽としての液相嫌気発酵槽５に形成したが、前記固液分離槽２内部に設けてもよい。
【００６６】
すなわち、図１２に示すように、前記固液分離槽２には、前記固液分離槽２内部で液相の滞留する沈殿分離空間２２に、嫌気性微生物を育成するための担体５５ａを設けて構成してある。そして、前記液相は前記担体５５ａに付着して生育する嫌気性微生物によって、バイオガス化されたのち、清浄な排水として排水部２４から排水処理装置本体Ａ外へ排出される構成となっている。
【００６７】
また、上述の例では液相嫌気発酵槽５で処理された液相が固液分離槽２に移送される形態としてあったが、液相を嫌気処理するための滞留時間が十分確保でき、排水可能な性状にまで液相が浄化されるのであれば、液相嫌気発酵槽５から固液分離槽２に液相を移送することなく、直接外部に排水、あるいは、好気処理槽に移送することもできる。
【００６８】
また、上記実施の形態において、ガスリフター用ポンプＰ２や嫌気ろ床５５に用いる担体５５ａ、後記処理槽に用いる担体４２などの各構成要素については、種々公知のものを適宜採用することができる。
【産業上の利用可能性】
【００６９】
本発明の排水処理装置は、生ごみを効率よく分解処理可能な家庭用浄化槽等として利用できる。
【符号の説明】
【００７０】
Ａ        ：排水処理装置本体
１        ：貯留槽
１１      ：受け入れ部
１２      ：貯留空間
１３      ：散気管
１４      ：移流部
２        ：固液分離槽
２１      ：案内壁部
２２      ：沈殿分離空間
２３      ：散気管
２４      ：排水部
２５      ：分離壁部
２６      ：移流部
２６ａ    ：スリット状出口（絞部）
２６ｂ    ：傾斜壁部
２６ｃ    ：堆積層
２８      ：移流部
３        ：沈殿物嫌気発酵槽
３１      ：嫌気発酵空間
３２      ：バイオガス取出路
３３      ：散気装置
４        ：好気処理槽
４１      ：排水部
４２      ：担体
４３      ：散気管
４４      ：分離壁部
４５ａ    ：縦管
４５      ：返送管
５        ：液相嫌気発酵槽
５１      ：水処理空間
５２      ：移流管
５３      ：移送管
５３ａ    ：縦管
５４      ：分離壁部
５５      ：嫌気ろ床
５５ａ    ：担体
５６      ：揚水空間
Ｐ１      ：撹拌ポンプ
Ｐ２      ：ガスリフター用ポンプ
Ｐ３      ：散気ポンプ
Ｐ４      ：撹拌ポンプ
Ｐ５      ：エアポンプ
Ｔ        ：バイオガスタンク
Ｗ１２
〜Ｗ２５：仕切壁
【図１】
2014144407.tif 000003
【図２】
2014144407.tif 000004
【図３】
2014144407.tif 000005
【図４】
2014144407.tif 000006
【図５】
2014144407.tif 000007
【図６】
2014144407.tif 000008
【図７】
2014144407.tif 000009
【図８】
2014144407.tif 000010
【図９】
2014144407.tif 000011
【図１０】
2014144407.tif 000012
【図１１】
2014144407.tif 000013
【図１２】
2014144407.tif 000014